(57)【要約】【課題】次世代の地上デジタル放送伝送方式を実現するために適切な伝送パラメータを送信すること。【解決手段】本発明に係る送信装置１では、伝送帯域識別を送信するＴＭＣＣ情報ビットを生成するように構成されているＴＭＣＣ情報ビット生成部１１と、同期ビット及びＴＭＣＣ情報ビットを含むＴＭＣＣ信号を生成するように構成されているＴＭＣＣ信号生成部１３と、少なくともＴＭＣＣ信号を含むＯＦＤＭフレームを生成するように構成されているＯＦＤＭフレーム構成部１４ａ、１４ｂとを備え、伝送帯域識別は、ＯＦＤＭ信号の伝送に使用する伝送帯域幅を示すノーマルモード、互換モード及び拡張モードを少なくとも識別することができる識別情報である。【選択図】図１
2019036933.tif 000002
【特許請求の範囲】
【請求項１】
ＯＦＤＭ信号を送信するように構成されている送信装置であって、
伝送帯域識別を送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備え、
前記伝送帯域識別は、前記ＯＦＤＭ信号の伝送に使用する伝送帯域幅を示すノーマルモード、互換モード及び拡張モードを少なくとも識別することができる識別情報であることを特徴とする送信装置。
【請求項２】
ＯＦＤＭ信号を送信するように構成されている送信装置であって、
部分受信フラグを送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備え、
前記部分受信フラグは、伝送帯域を構成する複数のセグメントの中の中央の９セグメントで部分受信帯域データを受信する部分受信を行うか否かについて示すことを特徴とする送信装置。
【請求項３】
前記ＴＭＣＣ情報ビットは、前記ＯＦＤＭ信号に含まれる第１階層データ及び第２階層データの各々のデータキャリアブースト比を送信するように構成されており、
前記データキャリアブースト比は、前記第１階層データ或いは前記第２階層データの電力ブースト比を示すことを特徴とする請求項２に記載の送信装置。
【請求項４】
ＯＦＤＭ信号によって第１階層データ及び第２階層データを送信するように構成されている送信装置であって、
前記ＯＦＤＭ信号に含まれる第１階層データ及び第２階層データの各々の送信に用いられるセグメント数を送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備えることを特徴とする送信装置。
【請求項５】
前記ノーマルモードは、３３セグメントからなる５．５０ＭＨｚの伝送帯域を使用し、
前記互換モードは、３３セグメント及び調整帯域からなる５．５７ＭＨｚの伝送帯域を使用し、
前記拡張モードは、３５セグメントからなる５．８３ＭＨｚの伝送帯域を使用するように構成されていることを特徴とする請求項１に記載の送信装置。
【請求項６】
ＯＦＤＭ信号によって第１階層データ及び第２階層データを送信するように構成されている送信装置であって、
前記ＯＦＤＭ信号に含まれる第１階層データ及び第２階層データの各々に対して用いられるＳＰパターンを送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備えることを特徴とする送信装置。
【請求項７】
ＯＦＤＭ信号によって第１階層データ及び第２階層データを送信するように構成されている送信装置であって、
ＳＩＳＯ／ＭＩＳＯ／ＭＩＭＯフラグを送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備え、
前記ＳＩＳＯ／ＭＩＳＯ／ＭＩＭＯフラグは、前記ＯＦＤＭ信号に含まれる第１階層データ及び第２階層データの各々に対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示すことを特徴とする送信装置。
【請求項８】
ＯＦＤＭ信号を送信するように構成されている送信装置であって、
伝送帯域識別を送信するＴＭＣＣ情報ビットを生成するように構成されているＴＭＣＣ情報ビット生成部と、
同期ビット及び前記ＴＭＣＣ情報ビットを含むＴＭＣＣ信号を生成するように構成されているＴＭＣＣ信号生成部と、
少なくとも、前記ＴＭＣＣ信号を含むＯＦＤＭフレームを生成するように構成されているＯＦＤＭフレーム構成部とを備え、
前記伝送帯域識別は、前記ＯＦＤＭ信号の伝送に使用する伝送帯域幅を示すノーマルモード及び互換モードを少なくとも識別することができる識別情報であり、
前記ノーマルモードは、３５セグメントからなる５．８３ＭＨｚの伝送帯域を使用し、
前記互換モードは、３３セグメント及び調整帯域からなる５．５７ＭＨｚの伝送帯域を使用するように構成されていることを特徴とする送信装置。
【請求項９】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
伝送帯域識別を送信する前記ＴＭＣＣ情報ビットを抽出するように構成されているＴＭＣＣ情報ビット抽出部とを備え、
前記伝送帯域識別は、前記ＯＦＤＭ信号の伝送に使用する伝送帯域幅を示すノーマルモード、互換モード及び拡張モードを少なくとも識別することができる識別情報であることを特徴とする受信装置。
【請求項１０】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
部分受信フラグを送信する前記ＴＭＣＣ情報ビットを抽出するように構成されているＴＭＣＣ情報ビット抽出部とを備え、
前記部分受信フラグは、伝送帯域を構成する複数のセグメントの中の中央の９セグメントで部分受信帯域データを受信する部分受信を行うか否かについて示すことを特徴とする受信装置。
【請求項１１】
前記ＴＭＣＣ情報ビットは、前記ＯＦＤＭ信号に含まれる第１階層データ及び第２階層データの各々のデータキャリアブースト比を送信するように構成されており、
前記データキャリアブースト比は、前記第１階層データ或いは前記第２階層データの電力ブースト比を示すことを特徴とする請求項９又は１０に記載の受信装置。
【請求項１２】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
前記ＯＦＤＭ信号に含まれる第１階層データ及び第２階層データの各々の送信に用いられるセグメント数を送信する前記ＴＭＣＣ情報ビットを抽出するように構成されているＴＭＣＣ情報ビット抽出部とを備えることを特徴とする受信装置。
【請求項１３】
前記ノーマルモードは、３３セグメントからなる５．５０ＭＨｚの伝送帯域を使用し、
前記互換モードは、３３セグメント及び調整帯域からなる５．５７ＭＨｚの伝送帯域を使用し、
前記拡張モードは、３５セグメントからなる５．８３ＭＨｚの伝送帯域を使用するように構成されていることを特徴とする請求項９に記載の受信装置。
【請求項１４】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
前記ＯＦＤＭ信号に含まれる第１階層データ及び第２階層データの各々に対して用いられるＳＰパターンを送信する前記ＴＭＣＣ情報ビットを抽出するように構成されているＴＭＣＣ情報ビット抽出部とを備えることを特徴とする受信装置。
【請求項１５】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
ＳＩＳＯ／ＭＩＳＯ／ＭＩＭＯフラグを送信する前記ＴＭＣＣ情報ビットを抽出するように構成されているＴＭＣＣ情報ビット抽出部とを備え、
前記ＳＩＳＯ／ＭＩＳＯ／ＭＩＭＯフラグは、前記ＯＦＤＭ信号に含まれる第１階層データ及び第２階層データの各々に対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示すことを特徴とする受信装置。
【請求項１６】
ＯＦＤＭ信号を受信するように構成されている受信装置であって、
同期ビット及びＴＭＣＣ情報ビットを含むＴＭＣＣ信号を抽出するように構成されているＴＭＣＣ信号抽出部と、
伝送帯域識別を送信する前記ＴＭＣＣ情報ビットを抽出するように構成されているＴＭＣＣ情報ビット抽出部とを備え、
前記伝送帯域識別は、前記ＯＦＤＭ信号の伝送に使用する伝送帯域幅を示すノーマルモード及び互換モードを少なくとも識別することができる識別情報であり、
前記ノーマルモードは、３５セグメントからなる５．８３ＭＨｚの伝送帯域を使用し、
前記互換モードは、３３セグメント及び調整帯域からなる５．５７ＭＨｚの伝送帯域を使用するように構成されていることを特徴とする受信装置。
【請求項１７】
コンピュータを、請求項１〜８のいずれか一項に記載の送信装置として機能させるためのプログラムを実行するプロセッサによって構成されるチップ。
【請求項１８】
コンピュータを、請求項９〜１６のいずれか一項に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在の日本における地上デジタル放送伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）方式では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームにおいて、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号を送信するためのキャリアに対して、ＯＦＤＭシンボル方向にＴＭＣＣ信号を割り当てて伝送するように構成されている（非特許文献１参照）。
【０００３】
なお、ＴＭＣＣ信号は、同期ビットやＴＭＣＣ情報ビット等を含む制御情報である。
【先行技術文献】
【非特許文献】
【０００４】
【非特許文献１】ＡＲＩＢ  ＳＴＤ−Ｂ３１、「地上デジタルテレビジョン放送の伝送方式」
【非特許文献２】Ｔ．Ｓｈｉｔｏｎｅ他、「Ａ  Ｓｔｕｄｙ  ｏｎ  Ａｄｖａｎｃｅｄ  Ｓｉｎｇｌｅ  Ｆｒｅｑｕｅｎｃｙ  Ｎｅｔｗｏｒｋ  Ｔｅｃｈｎｏｌｏｇｙ  Ｕｓｉｎｇ  ＳＴＣ−ＳＤＭ  Ｔｒａｎｓｍｉｓｓｉｏｎ」、ＩＥＥＥ  ＢＭＳＢ、ｍｍ１３−１３６、２０１３年
【発明の概要】
【発明が解決しようとする課題】
【０００５】
一方、次世代の地上デジタル放送伝送方式では、伝送容量の拡大のために、変調方式として多値化やＭＩＭＯ伝送方式の導入が検討されている（非特許文献２参照）。
【０００６】
しかしながら、現状、次世代の地上デジタル放送伝送方式では、ＴＭＣＣ信号に含まれるＴＭＣＣ情報ビットによって、どのような伝送パラメータを送信すべきかについて検討されていないという問題点があった。
【０００７】
そこで、本発明は、上述した課題を解決するためになされたものであり、次世代の地上デジタル放送伝送方式を実現するために適切な伝送パラメータを送信することができる送信装置、受信装置及びチップを提供することを目的とする。
【課題を解決するための手段】
【０００８】
本発明の第１の特徴は、ＯＦＤＭ信号を送信するように構成されている送信装置であって、伝送帯域識別を送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備え、前記伝送帯域識別は、前記ＯＦＤＭ信号の伝送に使用する伝送帯域幅を示すノーマルモード、互換モード及び拡張モードを少なくとも識別することができる識別情報であることを要旨とする。
【０００９】
本発明の第２の特徴は、ＯＦＤＭ信号を送信するように構成されている送信装置であって、部分受信フラグを送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備え、前記部分受信フラグは、伝送帯域を構成する複数のセグメントの中の中央の９セグメントで部分受信帯域データを受信する部分受信を行うか否かについて示すことを要旨とする。
【００１０】
本発明の第３の特徴は、ＯＦＤＭ信号によって第１階層データ及び第２階層データを送信するように構成されている送信装置であって、前記ＯＦＤＭ信号に含まれる第１階層データ及び第２階層データの各々の送信に用いられるセグメント数を送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備えることを要旨とする。
【００１１】
本発明の第４の特徴は、ＯＦＤＭ信号によって第１階層データ及び第２階層データを送信するように構成されている送信装置であって、前記ＯＦＤＭ信号に含まれる第１階層データ及び第２階層データの各々に対して用いられるＳＰパターンを送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備えることを要旨とする。
【００１２】
本発明の第５の特徴は、ＯＦＤＭ信号によって第１階層データ及び第２階層データを送信するように構成されている送信装置であって、ＳＩＳＯ／ＭＩＳＯ／ＭＩＭＯフラグを送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備え、前記ＳＩＳＯ／ＭＩＳＯ／ＭＩＭＯフラグは、前記ＯＦＤＭ信号に含まれる第１階層データ及び第２階層データの各々に対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示すことを要旨とする。
【００１３】
本発明の第６の特徴は、ＯＦＤＭ信号を送信するように構成されている送信装置であって、伝送帯域識別を送信するＴＭＣＣ情報ビットを生成するように構成されているＴＭＣＣ情報ビット生成部と、同期ビット及び前記ＴＭＣＣ情報ビットを含むＴＭＣＣ信号を生成するように構成されているＴＭＣＣ信号生成部と、少なくとも、前記ＴＭＣＣ信号を含むＯＦＤＭフレームを生成するように構成されているＯＦＤＭフレーム構成部とを備え、前記伝送帯域識別は、前記ＯＦＤＭ信号の伝送に使用する伝送帯域幅を示すノーマルモード及び互換モードを少なくとも識別することができる識別情報であり、前記ノーマルモードは、３５セグメントからなる５．８３ＭＨｚの伝送帯域を使用し、前記互換モードは、３３セグメント及び調整帯域からなる５．５７ＭＨｚの伝送帯域を使用するように構成されていることを要旨とする。
【００１４】
本発明の第７の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、伝送帯域識別を送信する前記ＴＭＣＣ情報ビットを抽出するように構成されているＴＭＣＣ情報ビット抽出部とを備え、前記伝送帯域識別は、前記ＯＦＤＭ信号の伝送に使用する伝送帯域幅を示すノーマルモード、互換モード及び拡張モードを少なくとも識別することができる識別情報であることを要旨とする。
【００１５】
本発明の第８の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、部分受信フラグを送信する前記ＴＭＣＣ情報ビットを抽出するように構成されているＴＭＣＣ情報ビット抽出部とを備え、前記部分受信フラグは、伝送帯域を構成する複数のセグメントの中の中央の９セグメントで部分受信帯域データを受信する部分受信を行うか否かについて示すことを要旨とする。
【００１６】
本発明の第９の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、前記ＯＦＤＭ信号に含まれる第１階層データ及び第２階層データの各々の送信に用いられるセグメント数を送信する前記ＴＭＣＣ情報ビットを抽出するように構成されているＴＭＣＣ情報ビット抽出部とを備えることを要旨とする。
【００１７】
本発明の第１０の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、前記ＯＦＤＭ信号に含まれる第１階層データ及び第２階層データの各々に対して用いられるＳＰパターンを送信する前記ＴＭＣＣ情報ビットを抽出するように構成されているＴＭＣＣ情報ビット抽出部とを備えることを要旨とする。
【００１８】
本発明の第１１の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、ＳＩＳＯ／ＭＩＳＯ／ＭＩＭＯフラグを送信する前記ＴＭＣＣ情報ビットを抽出するように構成されているＴＭＣＣ情報ビット抽出部とを備え、前記ＳＩＳＯ／ＭＩＳＯ／ＭＩＭＯフラグは、前記ＯＦＤＭ信号に含まれる第１階層データ及び第２階層データの各々に対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示すことを要旨とする。
【００１９】
本発明の第１２の特徴は、ＯＦＤＭ信号を受信するように構成されている受信装置であって、同期ビット及びＴＭＣＣ情報ビットを含むＴＭＣＣ信号を抽出するように構成されているＴＭＣＣ信号抽出部と、伝送帯域識別を送信する前記ＴＭＣＣ情報ビットを抽出するように構成されているＴＭＣＣ情報ビット抽出部とを備え、前記伝送帯域識別は、前記ＯＦＤＭ信号の伝送に使用する伝送帯域幅を示すノーマルモード及び互換モードを少なくとも識別することができる識別情報であり、前記ノーマルモードは、３５セグメントからなる５．８３ＭＨｚの伝送帯域を使用し、前記互換モードは、３３セグメント及び調整帯域からなる５．５７ＭＨｚの伝送帯域を使用するように構成されていることを要旨とする。
【００２０】
本発明の第１３の特徴は、コンピュータを、上述の第１〜６の特徴に記載の送信装置として機能させるためのプログラムを実行するプロセッサによって構成されるチップであることを要旨とする。
【００２１】
本発明の第１４の特徴は、コンピュータを、上述の第７〜１２の特徴に記載の受信装置として機能させるためのプログラムを実行するプロセッサによって構成されるチップであることを要旨とする。
【発明の効果】
【００２２】
本発明によれば、次世代の地上デジタル放送伝送方式を実現するために適切な伝送パラメータを送信することができる送信装置、受信装置及びチップを提供することができる。
【図面の簡単な説明】
【００２３】
【図１】図１は、第１の実施形態に係る送信装置１の機能ブロック図の一例である。
【図２】図２は、第１の実施形態に係る送信装置１のＴＭＣＣ情報ビット生成部１１によって生成されるＴＭＣＣ情報ビットの一例を説明するための図である。
【図３】図３は、第１の実施形態に係る送信装置１のＴＭＣＣ情報ビット生成部１１によって生成されるＴＭＣＣ情報ビットの一例を説明するための図である。
【図４】図４は、第１の実施形態に係る送信装置１のＴＭＣＣ情報ビット生成部１１によって生成されるＴＭＣＣ情報ビットの一例を説明するための図である。
【図５】図５は、第１の実施形態に係る送信装置１のＴＭＣＣ情報ビット生成部１１によって生成されるＴＭＣＣ情報ビットの一例を説明するための図である。
【図６】図６は、第１の実施形態に係る送信装置１のＴＭＣＣ情報ビット生成部１１によって生成されるＴＭＣＣ情報ビットの一例を説明するための図である。
【図７】図７は、第１の実施形態に係る送信装置１のＴＭＣＣ情報ビット生成部１１によって生成されるＴＭＣＣ情報ビットの一例を説明するための図である。
【図８】図８は、第１の実施形態に係る送信装置１のＴＭＣＣ情報ビット生成部１１によって生成されるＴＭＣＣ情報ビットの一例を説明するための図である。
【図９】図９は、第１の実施形態に係る送信装置１のＴＭＣＣ情報ビット生成部１１によって生成されるＴＭＣＣ情報ビットの一例を説明するための図である。
【図１０】図１０は、第１の実施形態に係る送信装置１のＴＭＣＣ情報ビット生成部１１によって生成されるＴＭＣＣ情報ビットの一例を説明するための図である。
【図１１】図１１は、第１の実施形態に係る送信装置１のＴＭＣＣ情報ビット生成部１１によって生成されるＴＭＣＣ情報ビットの一例を説明するための図である。
【図１２】図１２は、第１の実施形態に係る送信装置１のＴＭＣＣ情報ビット生成部１１によって生成されるＴＭＣＣ情報ビットの一例を説明するための図である。
【図１３】図１３は、第１の実施形態に係る送信装置１のＴＭＣＣ情報ビット生成部１１によって生成されるＴＭＣＣ情報ビットの一例を説明するための図である。
【図１４】図１４は、第１の実施形態に係る送信装置１のＴＭＣＣ情報ビット生成部１１によって生成されるＴＭＣＣ情報ビットの一例を説明するための図である。
【図１５】図１５は、第１の実施形態に係る送信装置１のＴＭＣＣ情報ビット生成部１１によって生成されるＴＭＣＣ情報ビットの一例を説明するための図である。
【図１６】図１６は、第１の実施形態に係る送信装置１のＴＭＣＣ情報ビット生成部１１によって生成されるＴＭＣＣ情報ビットの一例を説明するための図である。
【図１７】図１７は、第１の実施形態に係る送信装置１のＴＭＣＣ情報ビット生成部１１によって生成されるＴＭＣＣ情報ビットの一例を説明するための図である。
【図１８】図１８は、第１の実施形態に係る送信装置１のＴＭＣＣ情報ビット生成部１１によって生成されるＴＭＣＣ情報ビットの一例を説明するための図である。
【図１９】図１９は、第１の実施形態に係る送信装置１のＴＭＣＣ情報ビット生成部１１によって生成されるＴＭＣＣ情報ビットの一例を説明するための図である。
【図２０】図２０は、第１の実施形態に係る受信装置３の機能ブロック図の一例である。
【図２１】図２１は、第２の実施形態に係る送信装置１のＴＭＣＣ情報ビット生成部１１によって生成されるＴＭＣＣ情報ビットの一例を説明するための図である。
【図２２】図２２は、第２の実施形態に係る送信装置１のＴＭＣＣ情報ビット生成部１１によって生成されるＴＭＣＣ情報ビットの一例を説明するための図である。
【図２３】図２３は、第２の実施形態に係る送信装置１のＴＭＣＣ情報ビット生成部１１によって生成されるＴＭＣＣ情報ビットの一例を説明するための図である。
【図２４】図２４は、第２の実施形態に係る送信装置１のＴＭＣＣ情報ビット生成部１１によって生成されるＴＭＣＣ情報ビットの一例を説明するための図である。
【図２５】図２５は、第２の実施形態に係る送信装置１のＴＭＣＣ情報ビット生成部１１によって生成されるＴＭＣＣ情報ビットの一例を説明するための図である。
【発明を実施するための形態】
【００２４】
（第１の実施形態）
以下、図１〜図２０を参照して、本発明の第１の実施形態に係る放送システムについて説明する。本実施形態に係る放送システムは、上述の次世代の地上デジタル放送伝送方式に対応するように構成されており、例えば、図１に示す送信装置１及び図２０に示す受信装置３を具備する。
【００２５】
例えば、本実施形態に係る送信装置１は、３階層までの階層伝送を行うように構成されている。具体的には、本実施形態に係る送信装置１は、複数のキャリアからなる複数のセグメントを含むＯＦＤＭ信号によって、Ａ階層データ（第１階層データ）、Ｂ階層データ（第２階層データ）及びＣ階層データ（第３階層データ）を送信することができるように構成されている。例えば、Ａ階層データは、移動受信（部分受信）向けの放送用データであり、Ｂ階層データは、固定受信向けの放送用データであることが想定されている。
【００２６】
図１に示すように、本実施形態に係る送信装置１は、ＴＭＣＣ情報ビット生成部１１と、同期ビット生成部１２と、ＴＭＣＣ信号生成部１３と、ＯＦＤＭフレーム構成部１４ａ、１４ｂと、送信部１５ａ、１５ｂとを具備している。
【００２７】
ＴＭＣＣ情報ビット生成部１１は、ＴＭＣＣ情報ビットを生成するように構成されており、同期ビット生成部１２は、同期ビットを生成するように構成されており、ＴＭＣＣ信号生成部１３は、同期ビット及びＴＭＣＣ情報ビットを含むＴＭＣＣ信号を生成するように構成されている。
【００２８】
また、ＯＦＤＭフレーム構成部１４ａ、１４ｂは、ＴＭＣＣ信号や部分受信帯域データや非部分受信帯域データや拡張帯域データ等を含むＯＦＤＭフレームを生成するように構成されている。
【００２９】
次世代の地上デジタル放送伝送方式では、１チャネルが３３個のセグメントによって構成されているノーマルモード（或いは、調整モード）及び１チャネルが３５個のセグメントによって構成されている拡張モードが規定されている。
【００３０】
ここで、次世代の地上デジタル放送伝送方式では、１チャネル内の中央の９個のセグメントからなる部分受信帯域において部分受信帯域データが送信されるように規定されており、かかる部分受信帯域αの両外側に配置された２４個（拡張モードの場合は２６個）のセグメントからなる非部分受信帯域において非部分受信帯域データが送信されるように規定されている。
【００３１】
また、次世代の地上デジタル放送伝送方式において、拡張モードの場合には、かかる非部分受信帯域の両外側に配置された２個のセグメントからなる拡張帯域において拡張帯域データが送信されるように規定されている。なお、上述のＴＭＣＣ信号は、かかる拡張帯域では送信されないように規定されている。
【００３２】
送信部１５ａ、１５ｂは、ＯＦＤＭフレームから得られたＯＦＤＭ信号を送信するように構成されている。例えば、送信部１５ａ、１５ｂは、ＯＦＤＭフレーム構成部１４ａ、１４ｂによって生成されたＯＤＦＭフレームに対して、ＩＦＦＴ（Ｉｎｖｅｒｓｅ  Ｆａｓｔ  Ｆｏｕｒｉｅｒ  Ｔｒａｎｓｆｏｒｍ）を施し、ガードインターバルを付与し、直交変調を施し、デジタルアナログ変換を施し、フィルタリングを施し、電力増幅を施すように構成されている。
【００３３】
以下、図２〜図１９を参照して、本実施形態に係る送信装置１のＴＭＣＣ情報ビット生成部１１によって生成されるＴＭＣＣ情報ビットに含まれる情報要素の一例について説明する。
【００３４】
図２に示すように、例えば、かかるＴＭＣＣ情報ビットは、ビットＡ０〜Ａ２４３の２４４ビットから構成されており、情報要素として「システム識別」と「伝送帯域識別」と「ＴＭＣＣ情報更新フラグ」と「伝送パラメータ切り替え指標」と「カレント情報／ネクスト情報」とを有している。
【００３５】
「システム識別」は、ビットＡ０〜Ａ１の２ビットから構成されており、図３に示すように、本実施形態に係る放送システムが本仕様によるシステム（すなわち、次世代の地上デジタル放送伝送方式）に対応しているか否かについて示す。「システム識別」に「００」が設定されている場合、本実施形態に係る放送システムが本仕様によるシステム（すなわち、次世代の地上デジタル放送伝送方式）に対応していることを示す。
【００３６】
「伝送帯域識別」は、ビットＡ２〜Ａ３の２ビットから構成されており、図４に示すように、ノーマルモード、互換モード及び拡張モードを少なくとも識別することができる識別情報である。
【００３７】
「伝送帯域識別」に「００」が設定されている場合、本実施形態に係る放送システムがノーマルモードによって運用されていることを示し、「伝送帯域識別」に「０１」が設定されている場合、本実施形態に係る放送システムが拡張モードによって運用されていることを示し、「伝送帯域識別」に「１０」が設定されている場合、本実施形態に係る放送システムが互換モードによって運用されていることを示す。
【００３８】
なお、ノーマルモードは、３３セグメントからなる５．５０ＭＨｚの伝送帯域を使用し、互換モードは、３３セグメント及び調整帯域からなる５．５７ＭＨｚの伝送帯域を使用し、拡張モードは、３５セグメントからなる５．８３ＭＨｚの伝送帯域を使用するように構成されている。
【００３９】
「ＴＭＣＣ情報更新フラグ」は、ビットＡ４の１ビットから構成されており、図５に示すように、ＴＭＣＣ情報ビットが更新されているか否かについて示す。「ＴＭＣＣ情報更新フラグ」に「０」が設定されている場合、かかるＴＭＣＣ情報ビットが更新されていないことを示し、「ＴＭＣＣ情報更新フラグ」に「１」が設定されている場合、かかるＴＭＣＣ情報ビットが更新されていることを示す。ここで、更新しているか否かは、ビットＡ４以降でＦＥＣポインタを除いたビットを対象としている。
【００４０】
「伝送パラメータ切り替え指標」は、ビットＡ５〜Ａ９の５ビットから構成されており、図６に示すように、伝送パラメータに変更が生じた場合、ネクスト情報として新しい伝送パラメータがセットされるが、ネクスト情報へ切り替わる３１フレーム前から切り替えのカウントダウンをする機能である。
【００４１】
また、後述の「カレント情報／ネクスト情報」においては、「カレント情報」及び「ネクスト情報」のどちらの情報を伝送しているのかを判定する必要があり、通常は「カレント情報」を伝送し、「ネクスト情報」は切り替えが生じたときのみ伝送するものとしている。特に「伝送パラメータ切り替え指標」が切り替えの偶数フレーム前を示しているときには、「カレント情報／ネクスト情報」では、「ネクスト情報」を送り、奇数フレーム前を示している時には「カレント情報」を伝送する機能を有する。以上のように、切り替えのカウントダウンが始まると１フレーム毎にカレント情報とネクスト情報を切り替えて伝送する機能を有している。
【００４２】
「カレント情報／ネクスト情報」は、ビットＡ９３〜Ａ２４３の１５１ビットから構成されており、前述の通り、通常は「カレント情報」を示し、「伝送パラメータ切り替え指標」においてカウントダウンが開始された場合にのみ、「ネクスト情報」と「カレント情報」を交互に示す。図２に示すように、「カレント情報／ネクスト情報」は、情報要素として、「部分受信フラグ」と「Ａ階層伝送パラメータ」と「Ｂ階層伝送パラメータ」とを有している。
【００４３】
「部分受信フラグ」は、ビットＡ９３の１ビットから構成されており、図７に示すように、本実施形態に係る放送システムにおいて部分受信（すなわち、部分受信帯域における部分受信帯域データの送信）が行われているか否かについて示す。「部分受信フラグ」に
「０」が設定されている場合、本実施形態に係る放送システムにおいて部分受信が行われていないことを示し、「部分受信フラグ」に「１」が設定されている場合、本実施形態に係る放送システムにおいて部分受信が行われていることを示す。
【００４４】
「Ａ階層伝送パラメータ」は、ビットＡ９４〜Ａ１４３の５０ビットから構成されており、「Ｂ階層伝送パラメータ」は、ビットＡ１４４〜Ａ１９３の５０ビットから構成されており、各階層データに対して適用される伝送パラメータを示す。
【００４５】
「Ａ階層伝送パラメータ」及び「Ｂ階層伝送パラメータ」は、それぞれ、図８に示すように、情報要素として、「ＳＩＳＯ／ＭＩＳＯフラグ」と「セグメント数」と「キャリア変調方式」と「コンスタレーション識別」と「誤り訂正符号長」と「ＬＤＰＣ符号化率」と「時間インターリーブ長」と「データキャリアブースト比」と「ＳＰパターン」と「パイロット符号化」と「全キャリアパイロットフラグ」と「ＦＥＣポインタ」とを有している。
【００４６】
「ＳＩＳＯ／ＭＩＳＯフラグ」は、３ビットによって構成されており、図９に示すように、本実施形態に係る放送システムにおいて対象の階層データに対して、ＳＩＳＯ（Ｓｉｎｇｌｅ−Ｉｎｐｕｔ  Ｓｉｎｇｌｅ−Ｏｕｔｐｕｔ）、ＳＦＢＣ  ＭＩＭＯ（Ｓｐａｃｅ−Ｆｒｅｑｕｅｎｃｙ  Ｂｌｏｃｋ  Ｃｏｄｅ  Ｍｕｌｔｉ−Ｉｎｐｕｔ  Ｓｉｎｇｌｅ−Ｏｕｔｐｕｔ）及びＳＴＢＣ  ＭＩＭＯ（Ｓｐａｃｅ−Ｔｉｍｅ  Ｂｌｏｃｋ  Ｃｏｄｅ  Ｍｕｌｔｉ−Ｉｎｐｕｔ  Ｓｉｎｇｌｅ−Ｏｕｔｐｕｔ）のいずれが用いられているかについて示す。
【００４７】
「ＳＩＳＯ／ＭＩＳＯフラグ」に「０００」が設定されている場合、本実施形態に係る放送システムにおいて対象の階層データに対してＳＩＳＯが用いられていることを示し、「ＳＩＳＯ／ＭＩＳＯフラグ」に「００１」が設定されている場合、本実施形態に係る放送システムにおいて対象の階層データに対してＳＦＢＣ  ＭＩＳＯが用いられていることを示し、本実施形態に係る放送システムにおいて対象の階層データに対してＳＴＢＣ  ＭＩＳＯが用いられていることを示す。
【００４８】
「セグメント数」は、６ビットによって構成されており、図１０に示すように、対象の階層データの送信に用いられるセグメント数を示す。
【００４９】
「キャリア変調方式」は、３ビットによって構成されており、図１１に示すように、本実施形態に係る放送システムにおいて対象の階層データに対して用いられているキャリア変調方式を示す。
【００５０】
「キャリア変調方式」に「０００」が設定されている場合、本実施形態に係る放送システムにおいて対象の階層データに対してＱＰＳＫが用いられていることを示し、「キャリア変調方式」に「００１」が設定されている場合、本実施形態に係る放送システムにおいて対象の階層データに対して１６ＱＡＭが用いられていることを示し、「キャリア変調方式」に「０１０」が設定されている場合、本実施形態に係る放送システムにおいて対象の階層データに対して６４ＱＡＭが用いられていることを示し、「キャリア変調方式」に「０１１」が設定されている場合、本実施形態に係る放送システムにおいて対象の階層データに対して２５６ＱＡＭが用いられていることを示し、「キャリア変調方式」に「１００」が設定されている場合、本実施形態に係る放送システムにおいて対象の階層データに対して１０２４ＱＡＭが用いられていることを示し、「キャリア変調方式」に「１０１」が設定されている場合、本実施形態に係る放送システムにおいて対象の階層データに対して４０９６ＱＡＭが用いられていることを示す。
【００５１】
「コンスタレーション識別」は、１ビットによって構成されており、図１２に示すように、本実施形態に係る放送システムにおいて対象の階層データに対して用いられているコンスタレーションが均一であるか否かについて示す。「コンスタレーション識別」に「０」が設定されている場合、本実施形態に係る放送システムにおいて対象の階層データに対して用いられているコンスタレーションが均一であることを示し、「コンスタレーション識別」に「１」が設定されている場合、本実施形態に係る放送システムにおいて対象の階層データに対して用いられているコンスタレーションが不均一であることを示す。
【００５２】
「誤り訂正符号長」は、２ビットによって構成されており、図１３に示すように、本実施形態に係る放送システムにおいて対象の階層データに対して用いられている誤り訂正符号長を示す。「誤り訂正符号長」に「００」が設定されている場合、本実施形態に係る放送システムにおいて対象の階層データに対してＳｈｏｒｔタイプの誤り訂正符号が用いられていることを示し、「誤り訂正符号長」に「０１」が設定されている場合、本実施形態に係る放送システムにおいて対象の階層データに対してＭｉｄｄｌｅタイプの誤り訂正符号が用いられていることを示し、「誤り訂正符号長」に「１０」が設定されている場合、本実施形態に係る放送システムにおいて対象の階層データに対してＬｏｎｇタイプの誤り訂正符号が用いられていることを示す。
【００５３】
「ＬＤＰＣ符号化率」は、４ビットによって構成されており、図１４に示すように、本実施形態に係る放送システムにおいて対象の階層データに対して用いられるＬＤＰＣ（Ｌｏｗ−Ｄｅｎｓｉｔｙ  Ｐａｒｉｔｙ−ｃｈｅｃｋ  Ｃｏｄｅ）符号化率を示す。
【００５４】
「時間インターリーブ長」は、３ビットによって構成されており、図１５に示すように、本実施形態に係る放送システムにおいて対象の階層データに対して用いられる時間インターリーブ長を示す。
【００５５】
「データキャリアブースト比」は、３ビットによって構成されており、図１６に示すように、本実施形態に係る放送システムにおける対象の階層データの電力ブースト比を示す。例えば、「Ａ階層伝送パラメータ情報」の「データキャリアブースト比」に「０１０（３ｄＢ）」が設定され、「Ｂ階層伝送パラメータ情報」の「データキャリアブースト比」に「０００（０ｄＢ）」が設定されている場合、Ａ階層におけるデータキャリアは、通常のキャリア変調レベルに対して３ｄＢ高いレベルで変調され、Ｂ階層におけるデータキャリアは、通常のキャリア変調レベルで変調される。
【００５６】
「ＳＰパターン」は、４ビットによって構成されており、図１７に示すように、本実施形態に係る放送システムにおいて対象の階層データに対して用いられているＳＰ（Ｓｃａｔｔｅｒｅｄ  Ｐｉｌｏｔ）パターンを示す。
【００５７】
「パイロット符号化」は、２ビットによって構成されており、図１８に示すように、本実施形態に係る放送システムにおいて対象の階層データに対して用いられているパイロット符号化方式を示す。「パイロット符号化」に「０」が設定されている場合、本実施形態に係る放送システムにおいて対象の階層データに対して符号反転方式が用いられていることを示し、「パイロット符号化」に「１」が設定されている場合、本実施形態に係る放送システムにおいて対象の階層データに対してヌル方式が用いられていることを示す。
【００５８】
「全キャリアパイロットフラグ」は、１ビットによって構成されており、図１９に示すように、本実施形態に係る放送システムにおいて対象の階層データに対して全キャリアパイロットが用いられているか否かについて示す。「全キャリアパイロットフラグ」に「０」が設定されている場合、本実施形態に係る放送システムにおいて対象の階層データに対して全キャリアパイロットが用いられていないことを示し、「全キャリアパイロットフラグ」に「１」が設定されている場合、本実施形態に係る放送システムにおいて対象の階層データに対して全キャリアパイロットが用いられていることを示す。
【００５９】
本実施形態に係る受信装置３は、複数のキャリアからなる複数のセグメントを介して、３階層までの階層伝送によって送信されたＡ階層データ、Ｂ階層データ及びＣ階層データを受信することができるように構成されている。
【００６０】
なお、本実施形態に係る受信装置３は、Ａ階層データ、Ｂ階層データ及びＣ階層データを、上述の部分受信帯域データ及び非部分受信帯域データを含むＯＦＤＭ信号によって受信するように構成されている。
【００６１】
本実施形態に係る受信装置３は、図２０に示すように、受信部３１と、デフレーム化部３２と、ＴＭＣＣ信号抽出部３３と、フレーム同期部３４と、ＴＭＣＣ情報ビット抽出部３５とを具備している。
【００６２】
受信部３１は、上述のＯＦＤＭ信号を受信するように構成されている。具体的には、受信部３１は、受信したＯＦＤＭ信号に対して、電力増幅を施し、デフィルタリングを施し、アナログデジタル変換を施し、逆直交変調を施し、ガードインターバルを除去し、ＦＦＴを施すことによって、ＯＤＦＭフレームを取得するように構成されている。
【００６３】
デフレーム化部３２は、ＯＤＦＭフレームから、ＴＭＣＣ信号や部分受信帯域データや非部分受信帯域データや拡張帯域データ等を分離するように構成されている。
【００６４】
ＴＭＣＣ信号抽出部３３は、ＯＦＤＭフレームを構成するセグメントの１つから複数のＴＭＣＣ信号を抽出するように構成されている。
【００６５】
本実施形態に係る受信装置３が、広帯域受信装置である場合は、ＴＭＣＣ信号抽出部３３は、３３若しくは３５セグメント分のＴＭＣＣ信号を抽出するように構成されており、本実施形態に係る受信装置３が、狭帯域受信装置である場合は、部分受信帯域内の９セグメント分のＴＭＣＣ信号を抽出するように構成されている。
【００６６】
フレーム同期部３４は、各セグメントにおいて対応するＴＭＣＣ信号を送信するキャリアを加算して（キャリア加算を行い）、加算した後の系列から同期ビットのパターンを探し（すなわち、加算した後の系列と同期ビットのパターンとの相関を取り）、ＴＭＣＣ信号のフレームの先頭位置を見つけフレーム同期を確立するように構成されている。
【００６７】
ＴＭＣＣ情報ビット抽出部３５は、上述のフレーム同期が確立された後、ＴＭＣＣ信号抽出部３３によって抽出されたＴＭＣＣ信号から、上述のＴＭＣＣ情報ビットを抽出するように構成されている。
【００６８】
本実施形態に係る送信装置１及び受信装置３によれば、次世代の地上デジタル放送伝送方式を実現するために適切な伝送パラメータを送信装置１から受信装置３に対して送信することができる。
【００６９】
なお、上述では、部分受信帯域内のセグメント数を「９」のケースを例に挙げて説明したが、本発明は、かかるケース以外のケースに対しても適用可能である。
【００７０】
（第２の実施形態）
以下、図２１〜図２５を参照して、本発明の第２の実施形態に係る送信装置１及び受信装置３について、上述の第１の実施形態に係る送信装置１及び受信装置３との相違点に着目して説明する。
【００７１】
本実施形態では、図２１に示すように、例えば、ＴＭＣＣ情報ビットは、ビットＡ０〜Ａ２４３の２４４ビットから構成されており、情報要素として「システム識別」と「伝送帯域識別」と「ＴＭＣＣ情報更新フラグ」と「伝送パラメータ切り替え指標」と「カレント情報／ネクスト情報」と「Ａ階層ＦＥＣブロックポインタ」と「Ｂ階層ＦＥＣブロックポインタ」と「Ｃ階層ＦＥＣブロックポインタ」とを有している。
【００７２】
「伝送帯域識別」は、ビットＡ２〜Ａ３の２ビットから構成されており、図２２に示すように、ノーマルモード及び互換モードを少なくとも識別することができる識別情報である。
【００７３】
「伝送帯域識別」に「０１」が設定されている場合、本実施形態に係る放送システムがノーマルモードによって運用されていることを示し、「伝送帯域識別」に「１０」が設定されている場合、本実施形態に係る放送システムが拡張モードによって運用されていることを示す。
【００７４】
なお、本実施形態では、ノーマルモードは、３５セグメントからなる５．８３ＭＨｚの伝送帯域を使用し、互換モードは、３３セグメント及び調整帯域からなる５．５７ＭＨｚの伝送帯域を使用するように構成されている。
【００７５】
「カレント情報／ネクスト情報」は、ビットＡ１０〜Ａ１０３の９４ビットから構成されており、前述の通り、通常は「カレント情報」を示し、「伝送パラメータ切り替え指標」においてカウントダウンが開始された場合にのみ、「ネクスト情報」と「カレント情報」を交互に示す。図２１に示すように、「カレント情報／ネクスト情報」は、情報要素として、「部分受信フラグ」と「Ａ階層伝送パラメータ」と「Ｂ階層伝送パラメータ」と「Ｃ階層伝送パラメータ」とを有している。
【００７６】
「部分受信フラグ」は、ビットＡ１０の１ビットから構成されており、「Ａ階層伝送パラメータ」は、ビットＡ１１〜Ａ４１の３１ビットから構成されており、「Ｂ階層伝送パラメータ」は、ビットＡ４２〜Ａ７２の３１ビットから構成されており、「Ｃ階層伝送パラメータ」は、ビットＡ７３〜Ａ１０３の３１ビットから構成されており、各階層データに対して適用される伝送パラメータを示す。
【００７７】
「Ａ階層伝送パラメータ」、「Ｂ階層伝送パラメータ」及び「Ｃ階層伝送パラメータ」は、それぞれ、図２３に示すように、情報要素として、「ＳＩＳＯ／ＭＩＳＯ／ＭＩＭＯフラグ」と「セグメント数」と「キャリア変調方式」と「コンスタレーション識別」と「誤り訂正符号長」と「ＬＤＰＣ符号化率」と「時間インターリーブ長」と「データキャリアブースト比」と「ＳＰパターン」と「パイロット符号化」と「全キャリアパイロットフラグ」と「ＦＥＣポインタ」とを有している。
【００７８】
「ＳＩＳＯ／ＭＩＳＯ／ＭＩＭＯフラグ」は、３ビットによって構成されており、図２４に示すように、本実施形態に係る放送システムにおいて対象の階層データに対して、ＳＩＳＯ、ＭＩＳＯ（ＳＦＢＣ）、ＭＩＳＯ（ＳＴＢＣ）及びＭＩＭＯ（ＳＤＭ）のいずれが用いられているかについて示す。
【００７９】
「Ａ階層ＦＥＣブロックポインタ」は、ビットＡ１０４〜Ａ１２１の１８ビットから構成されており、「Ｂ階層ＦＥＣブロックポインタ」は、ビットＡ１２２〜Ａ１３９の１８ビットから構成されており、「Ｃ階層ＦＥＣブロックポインタ」は、ビットＡ１４０〜Ａ１５７の１８ビットから構成されている。
【００８０】
「Ａ階層ＦＥＣブロックポインタ」、「Ｂ階層ＦＥＣブロックポインタ」及び「Ｃ階層ＦＥＣブロックポインタ」は、それぞれ、図２５に示すように、ＬＤＰＣ符号長ＬＯＮＧまで考慮して、ＦＥＣブロックポインタを１８ビットで示す。「Ａ階層ＦＥＣブロックポインタ」、「Ｂ階層ＦＥＣブロックポインタ」及び「Ｃ階層ＦＥＣブロックポインタ」は、それぞれ、最大で２６２，１４４（２１８）まで指示でき、ＦＥＣブロックのビット単位若しくはキャリアシンボル単位で指示する。キャリアシンボル単位で指示する場合、例えば、キャリア変調方式としてＱＰＳＫ（２ビット伝送）が用いられている場合には、２６２，１４４キャリアシンボルまで対応できるので、最大符号長としては、５２４，２８８ビットのものまで対応できることになる。
【００８１】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００８２】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００８３】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【００８４】
１…送信装置
１１…ＴＭＣＣ情報ビット生成部
１２…同期ビット生成部
１３…ＴＭＣＣ信号生成部
１４ａ、１４ｂ…ＯＦＤＭフレーム構成部
１５ａ、１５ｂ…送信部
３…受信装置
３１…受信部
３２…デフレーム化部
３３…ＴＭＣＣ抽出部
３４…ＴＭＣＣ情報ビット抽出部
３５…同期ビット抽出部
【図１】
2019036933.tif 000003
【図２】
2019036933.tif 000004
【図３】
2019036933.tif 000005
【図４】
2019036933.tif 000006
【図５】
2019036933.tif 000007
【図６】
2019036933.tif 000008
【図７】
2019036933.tif 000009
【図８】
2019036933.tif 000010
【図９】
2019036933.tif 000011
【図１０】
2019036933.tif 000012
【図１１】
2019036933.tif 000013
【図１２】
2019036933.tif 000014
【図１３】
2019036933.tif 000015
【図１４】
2019036933.tif 000016
【図１５】
2019036933.tif 000017
【図１６】
2019036933.tif 000018
【図１７】
2019036933.tif 000019
【図１８】
2019036933.tif 000020
【図１９】
2019036933.tif 000021
【図２０】
2019036933.tif 000022
【図２１】
2019036933.tif 000023
【図２２】
2019036933.tif 000024
【図２３】
2019036933.tif 000025
【図２４】
2019036933.tif 000026
【図２５】
2019036933.tif 000027